(57)【特許請求の範囲】
【請求項１】
ゴルファーがゴルフボールを打撃する際に打撃方向前側に位置する軸足靴体と打撃方向後側に位置する蹴足靴体とからなり、この軸足靴体及び蹴足靴体の底面に突出部が形成されているゴルフシューズであって、
軸足靴体には爪先方向に凸である線に沿った突出部が主として形成されており、蹴足靴体には踵方向に凸である線に沿った突出部が主として形成されていることを特徴とするゴルフシューズ。
【請求項２】
上記軸足靴体に形成された爪先方向に凸である線に沿った突出部が、この突出部の横断面において最も爪先寄りに位置する爪先側壁面と、最も踵寄りに位置する踵側壁面とを備えており、突出部の横断面形状における爪先側壁面と水平方向底面とのなす内角が、突出部の横断面形状における踵側壁面と水平方向底面とのなす内角よりも大きい請求項１に記載のゴルフシューズ。
【請求項３】
上記軸足靴体に形成された爪先方向に凸である線に沿った突出部の最も爪先寄りに位置する爪先側壁面がこの突出部の横断面形状において水平方向底面となす内角が、６０度以上１２０度以下である請求項１又は請求項２に記載のゴルフシューズ。
【請求項４】
上記蹴足靴体に形成された踵方向に凸である線に沿った突出部が、この突出部の横断面において最も爪先寄りに位置する爪先側壁面と、最も踵寄りに位置する踵側壁面とを備えており、突出部の横断面形状における爪先側壁面と水平方向底面とのなす内角が、突出部の横断面形状における踵側壁面と水平方向底面とのなす内角よりも小さい請求項１から請求項３のいずれか１項に記載のゴルフシューズ。
【請求項５】
上記蹴足靴体に形成された踵方向に凸である線に沿った突出部の最も踵寄りに位置する踵側壁面がこの突出部の横断面形状において水平方向底面となす内角が、６０度以上１２０度以下である請求項１から請求項４のいずれか１項に記載のゴルフシューズ。
【発明の詳細な説明】
【０００１】
【発明の属する技術分野】
本発明はゴルフシューズに関するものであり、特にゴルフシューズの底面のパターンの改良に関するものである。
【０００２】
【従来の技術】
ゴルファーがゴルフボールを打撃する際は、左右の足を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からテイクバックを開始し、ゴルファーはヘッドを後へ、次いで上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを前方へ、次いで上方へと振り抜き（フォロースルー）、フィニッシュを迎える。
【０００３】
トップ位置からフィニッシュにかけて、ゴルファーは左足を軸としてボディターンを行う。同時にゴルファーは、右足で地面を蹴ってその力をゴルフボールに伝える。つまり、右利きのゴルファーは、左足を軸足として使い、右足を蹴足として使う。左利きゴルファーの場合は、逆に右足を軸足として使い、左足を蹴足として使う。
【０００４】
トップ位置からフィニッシュにかけて、ゴルファーの両足には大きな力がかかる。この力によって、ゴルフシューズが地面とスリップを起こすことがある。スリップが起こると、スイングフォームが乱れてミスショットが発生してしまうことがある。
【０００５】
スリップの防止のため、ゴルフシューズの底面に針状のスパイクピンが設けられることがある。このゴルフシューズではスリップはかなり防止されるものの、スパイクピンがパッティンググリーンの芝生、クラブハウスの床、ゴルフコース中に設けられた歩行用通路の路面等を傷めるという問題が指摘されている。従って、スパイクピンを備えたゴルフシューズは近年ではあまり好まれて用いられてはいない。
【０００６】
スパイクピンに代えてゴムや合成樹脂からなる突出部が底面に設けられたゴルフシューズが提案され、普及しつつある。このゴルフシューズでは、芝生等が傷つけられることが少ない。しかしながらこのゴルフシューズでは、突出部のスリップ防止効果がスパイクピンに比べて劣るという問題がある。特許第２９４６２１５号公報には、前述のような左足と右足との役割の相違が考慮され、左足用の靴体と右足用の靴体とで突起のパターンが異なるゴルフシューズが提案されているが、スリップ防止の観点から未だ改良の余地がある。
【０００７】
【発明が解決しようとする課題】
本発明者がトップ位置からインパクトにかけて足にかかる力のベクトル（すなわち大きさと方向）を調査したところ、以下のことが判明した。
【０００８】
まず軸足では、力は大まかには踵から爪先に向かう方向（以下「正面方向」と称される）にかかっている。詳細には、トップ位置では力は足の打撃方向後寄り（ゴルファーの軸足にとってのインサイド寄り）に主としてかかっており、その向きもやや後側向きな正面方向である。スイングの進行に応じて、主として力のかかる位置は足の中央へ、そして前寄り（ゴルファーの軸足にとってのアウトサイド寄り）へと移行する。また、スイングの進行に応じて、力の方向も完全な正面方向へ、そしてやや前側向きな正面方向へと移行する。これらの変化は、軸足が軸とされたボディーターンと体重の移動とに起因すると考えられる。
【０００９】
次に蹴足では、力は大まかには爪先から踵に向かう方向（以下「背面方向」と称される）にかかっている。詳細には、トップ位置では力は足の打撃方向前寄り（ゴルファーの蹴足にとってのインサイド寄り）に主としてかかっており、その向きもやや前向きの背面方向である。スイングの進行に応じて、主として力のかかる位置は足の中央へ、そして後寄り（ゴルファーの蹴足にとってのアウトサイド寄り）へと移行する。また、スイングの進行に応じて、力の方向も完全な背面方向へ、そしてやや後向きな背面方向へと移行する。これらの変化は、ダウンスイング開始時の蹴足から軸足への体重移動と、その後の蹴足の回転とに起因すると考えられる。
【００１０】
本発明はこれらの知見に基づいてなされたものであり、スイング中のスリップが抑制されるゴルフシューズの提供をその目的とするものである。
【００１１】
【課題を解決するための手段】
上記の目的を達成するためになされた発明は、
ゴルファーがゴルフボールを打撃する際に打撃方向前側に位置する軸足靴体と打撃方向後側に位置する蹴足靴体とからなり、この軸足靴体及び蹴足靴体の底面に突出部が形成されているゴルフシューズであって、
軸足靴体には爪先方向に凸である線に沿った突出部が主として形成されており、蹴足靴体には踵方向に凸である線に沿った突出部が主として形成されていることを特徴とするゴルフシューズ、
である。
【００１２】
このゴルフシューズでは、軸足靴体及び蹴足靴体に、スイング中に軸足及び蹴足のそれぞれにかかる力のベクトルの移動に応じた突出部が形成されている。すなわち、トップ位置からインパクトにかけてのそれぞれの時点において最も力のかかる位置に、この力とほぼ直交する突起部が位置する。従って、ゴルフシューズと地面とのスリップ（軸足靴体の略爪先方向へのスリップ及び蹴足靴体の略踵方向へのスリップ）が抑制される。また、蹴足靴体には踵方向に凸である線に沿った突出部が主として形成されているので、スイングの進行に伴う蹴足の回転（この回転は爪先近傍が軸とされた回転である）が円滑に行われる。
【００１３】
好ましくは、軸足靴体に形成された爪先方向に凸である線に沿った突出部は、この突出部の横断面において最も爪先寄りに位置する爪先側壁面と、最も踵寄りに位置する踵側壁面とを備える。そして、突出部の横断面形状における爪先側壁面と水平方向底面とのなす内角は、突出部の横断面形状における踵側壁面と水平方向底面とのなす内角よりも大きい。これにより、爪先側壁面が軸足靴体の略爪先方向へのスリップを抑制しつつ、軸足靴体の接地圧が高められる。
【００１４】
好ましくは、軸足靴体に形成された爪先方向に凸である線に沿った突出部の最も爪先寄りに位置する爪先側壁面がこの突出部の横断面形状において水平方向底面となす内角は、６０度以上１２０度以下である。このような爪先側壁面は、軸足靴体の略爪先方向へのスリップをより抑制する。
【００１５】
好ましくは、蹴足靴体に形成された踵方向に凸である線に沿った突出部は、この突出部の横断面において最も爪先寄りに位置する爪先側壁面と、最も踵寄りに位置する踵側壁面とを備える。そして、突出部の横断面形状における爪先側壁面と水平方向底面とのなす内角は、突出部の横断面形状における踵側壁面と水平方向底面とのなす内角よりも小さい。これにより、踵側壁面が蹴足靴体の略踵方向へのスリップを抑制しつつ、蹴足靴体の接地圧が高められる。
【００１６】
好ましくは、蹴足靴体に形成された踵方向に凸である線に沿った突出部の最も踵寄りに位置する踵側壁面がこの突出部の横断面形状において水平方向底面となす内角は、６０度以上１２０度以下である。このような踵側壁面は、踵側靴体の略踵方向へのスリップをより抑制する。
【００１７】
【発明の実施の形態】
以下、適宜図面が参照されつつ、本発明の実施形態が説明される。なお、以下の説明で用いられる図面は、全て右利きゴルファー用のゴルフシューズの図面である。従って、軸足靴体が左足に着用され、蹴足靴体が右足に着用される。左利きゴルファー用のゴルフシューズでは、以下の図面示される形状が反転された形状となる。
【００１８】
図１（ａ）は本発明の一実施形態にかかるゴルフシューズの軸足靴体１のソール部分が示された底面図であり、図１（ｂ）はそのＢ−Ｂ線に沿った断面図である。また、図１（ｃ）はこのゴルフシューズの蹴足靴体３のソール部分が示された底面図であり、図１（ｄ）はそのＤ−Ｄ線に沿った断面図である。なお、図示されていないが、このゴルフシューズは、通常のゴルフシューズと同様のアッパー部等を備えている。図１（ａ）及び図１（ｃ）において右方向が打撃方向前側であり、左方向が打撃方向後側である。また、図１（ａ）から図１（ｄ）において上方向が爪先方向であり、下方向が踵方向である。
【００１９】
図１（ａ）において符号Ｔｊで示される矢印は、トップ位置で軸足にかかる力のベクトルである。また、符号Ｆｊで示される矢印は、インパクト直前で軸足にかかる力のベクトルである。トップ位置からインパクト直前にかけてのスイングにおいて軸足にかかる力の位置と方向とは、矢印Ｔｊの状態から矢印Ｆｊの状態へと、図においてほぼ時計回り方向に刻々と変化する。
【００２０】
図１（ａ）及び図１（ｂ）から明らかなように、軸足靴体１はその底面に突出部としての筋山５を多数備えている。この筋山５は、爪先方向に凸である線（ここでは略放物線）に沿って形成されている。すなわち、筋山５が沿う線（この図では曲線）は、その両端を結ぶ線分よりも爪先寄りに位置している。筋山５がこのような形状とされることにより、矢印Ｔｊの状態から矢印Ｆｊの状態へと力のベクトルが移行するそれぞれの時点での作用点において、ベクトルの方向にほぼ直交するように筋山５が位置することとなる。これにより、軸足靴体１のスリップが有効に抑制される。筋山５が沿う線は爪先方向に凸であれば足り、その形状は制限されない。例えば、この線は円弧状でもよく、放物線状でもよい。また、例えばサインカーブのような途中に変曲点を有する曲線でもよい。また、複数の線分の組み合わせや、線分と曲線の組み合わせでもよい。
【００２１】
図１（ｃ）において符号Ｔｋで示される矢印は、トップ位置で蹴足にかかる力のベクトルである。また、符号Ｆｋで示される矢印は、インパクト直前で蹴足にかかる力のベクトルである。トップ位置からインパクト直前にかけてのスイングにおいて蹴足にかかる力の位置と方向とは、矢印Ｔｋの状態から矢印Ｆｋの状態へと、図においてほぼ時計回り方向に刻々と変化する。
【００２２】
図１（ｃ）及び図１（ｄ）から明らかなように、蹴足靴体３はその底面に突出部としての筋山７を多数備えている。この筋山７は、踵方向に凸である線（ここでは略円弧）に沿って形成されている。すなわち、筋山７が沿う線（この図では曲線）は、その両端を結ぶ線分よりも踵寄りに位置している。筋山７がこのような形状とされることにより、矢印Ｔｋの状態から矢印Ｆｋの状態へと力のベクトルが移行するそれぞれの時点での作用点において、ベクトルの方向にほぼ直交するように筋山７が位置することとなる。これにより、蹴足靴体６のスリップが有効に抑制される。筋山７が沿う線は、軸足靴体１と同様、例えば円弧状、放物線状、サインカーブ状、複数の線分の組み合わせ、線分と曲線の組み合わせ等、種々の形状が採用されうる。
【００２３】
スイングの進行に伴い蹴足は爪先近傍を軸として回転するが、図１（ｃ）に示されるように踵方向に凸である線に沿って筋山７が形成されておれば、この回転が円滑になる。
【００２４】
図１（ａ）に示されるように、軸足靴体１では全ての筋山５が爪先方向に凸な線に沿って形成されているが、爪先方向に凸な線に沿って形成された筋山５と他の筋山５とがともに形成されてもよい。この場合は、全ての筋山５の全長に占める爪先方向に凸な線に沿って形成された筋山５の比率が５０％以上、特には７０％以上とされるのが好ましい。
【００２５】
図１（ｃ）に示されるように、蹴足靴体３では全ての筋山７が踵方向に凸な線に沿って形成されているが、踵方向に凸な線に沿って形成された筋山７と他の筋山７とがともに形成されてもよい。この場合は、全ての筋山７の全長に占める踵方向に凸な線に沿って形成された筋山７の比率が５０％以上、特には７０％以上とされるのが好ましい。
【００２６】
図２（ａ）は図１（ｂ）の軸足靴体１の一部が示された拡大図であり、図２（ｂ）は図１（ｄ）の蹴足靴体３の一部が示された拡大図である。図２において左方向が爪先方向であり、右方向が踵方向である。図２（ａ）及び図２（ｂ）は、筋山５、７のほぼ横方向に沿った断面図である。
【００２７】
図２（ａ）に示されるように、軸足靴体１の筋山５は、爪先側壁面９と、踵側壁面１１と、平坦面１３とを備えている。爪先側壁面９は、筋山５の横断面において最も爪先寄りに位置する。また、踵側壁面１１は、筋山５の横断面において最も踵寄りに位置する。符号αは、筋山５の横断面形状における爪先側壁面９と水平方向底面とのなす内角である。また、符号βは、筋山５の横断面形状における踵側壁面１１と水平方向底面とのなす内角である。図２（ａ）から明らかなように、角度αは角度βよりも大きい。すなわち、爪先側壁面９は、踵側壁面１１に比べてより起立している。このように起立した爪先側壁面９により、軸足靴体１の略爪先方向へのスリップがよりよく抑制される。なお、踵側壁面１１は軸足靴体１の略爪先方向へのスリップ防止には直接は寄与しないが、角度βが小さくされることにより平坦面１３の面積（すなわち軸足靴体１の接地面積）が小さくなり、接地圧が高まるので、これによってスリップがよりよく抑制される。
【００２８】
軸足靴体１における角度αは、６０度（degree）以上１２０度以下が好ましく、８０度以上１２０度以下が特に好ましい。角度αが上記範囲未満であると、軸足靴体１のスリップ防止効果が不十分となってしまうことがある。逆に、角度αが上記範囲を超えると、歩行中に筋山５、５同士の間に土が詰まりやすくなり、また金型による靴底成形時の脱型が困難となってしまうことがある。なお、軸足靴体１における角度αと角度βとの差は１５度以上が好ましく、特に３０度以上が好ましい。
【００２９】
図２（ｂ）に示されるように、蹴足靴体３の筋山７も、図２（ａ）に示された軸足靴体１と同様に、爪先側壁面１５と、踵側壁面と１７、平坦面１９とを備えている。図２（ｂ）から明らかなように、角度αは角度βよりも小さい。すなわち、踵側壁面１７は、爪先側壁面１５に比べてより起立している。このように起立した踵側壁面１７により、蹴足靴体３の略踵方向へのスリップがよりよく抑制される。なお、爪先側壁面１５は蹴足靴体３の略踵方向へのスリップ防止には直接は寄与しないが、角度αが小さくされることにより平坦面１９の面積（すなわち蹴足靴体３の接地面積）が小さくなり、接地圧が高まるので、これによってスリップがよりよく抑制される。
【００３０】
蹴足靴体３における角度βは６０度以上１２０度以下が好ましく、８０度以上１２０度以下が特に好ましい。角度βが上記範囲未満であると、蹴足靴体３のスリップ防止効果が不十分となってしまうことがある。逆に、角度βが上記範囲を超えると、歩行中に筋山７，７同士の間に土が詰まりやすくなり、また金型による靴底成形時の脱型が困難となってしまうことがある。。なお、蹴足靴体３における角度αと角度βとの差は１５度以上が好ましく、特に３０度以上が好ましい。
【００３１】
なお、スリップ防止性能向上の観点から、軸足靴体１及び蹴足靴体３のそれぞれにおける筋山５、７の間隔（平坦面１３、１９を備えた筋山５、７では平坦面１３、１９の間の距離であり、図２（ａ）及び図２（ｂ）において両矢印Ｐで示される。）は２ｍｍ以上３０ｍｍ以下が好ましい。また、スリップ防止性能向上の観点から、軸足靴体１及び蹴足靴体３のそれぞれにおける筋山５、７の高さ（図２（ａ）及び図２（ｂ）において両矢印Ｈで示される）は２ｍｍ以上１５ｍｍ以下が好ましい。
【００３２】
図３（ａ）は本発明の他の実施形態にかかるゴルフシューズの軸足靴体２１のソール部分が示された拡大断面図であり、図３（ｂ）はこのゴルフシューズの蹴足靴体２３のソール部分が示された拡大断面図である。図３（ａ）及び図３（ｂ）において左方向が爪先方向であり、右方向が踵方向である。このゴルフシューズの底面にも、図１及び図２に示されたゴルフシューズと同様に、突出部としての筋山２５、２７が形成されている。図示されていないが、軸足靴体２１の筋山２５は爪先方向に凸である線に沿って形成されている。また、蹴足靴体２３の筋山２７は、踵方向に凸である線に沿って形成されている。これらの筋山２５、２７は、爪先側壁面２９、３１と、踵側壁面３３、３５と、平坦面３７、３９とを備えている。筋山２５、２７の横断面における爪先側壁面２９、３１及び踵側壁面３３、３５の形状は、略円弧状である。図３（ａ）及び図３（ｂ）に示されるように、略円弧状の爪先側壁面２９、３１の角度αは、基準となる水平線と爪先側壁面２９、３１との交点における爪先側壁面２９、３１の接線と水平線とのなす角度である。また、略円弧状の踵側壁面３３、３５の角度βは、基準となる水平線と踵側壁面３３、３５との交点における踵側壁面３３、３５の接線と水平線とのなす角度である。
【００３３】
図３（ａ）に示されるように、このゴルフシューズでも、軸足靴体２１では角度αが角度βよりも大きくされている。これにより軸足靴体２１の高い接地圧が発現されつつ、爪先側壁面２９によって軸足靴体２１の略爪先方向へのスリップが防止される。また、図３（ｂ）に示されるように、蹴足靴体２３では角度αが角度βよりも小さくされている。これにより蹴足靴体２３の高い接地圧が発現されつつ、踵側壁面３５によって蹴足靴体２３の略踵方向へのスリップが防止される。
【００３４】
図３に示されたゴルフシューズでも、図１及び図２に示されたゴルフシューズと同様、軸足靴体２１における角度αは、６０度以上１２０度以下が好ましく、８０度以上１２０度以下が特に好ましい。同様に、蹴足靴体２３における角度βは６０度以上１２０度以下が好ましく、８０度以上１２０度以下が特に好ましい。さらに、軸足靴体２１及び蹴足靴体２３のそれぞれにおいて、角度αと角度βとの差は１５度以上が好ましく、特に３０度以上が好ましい。
【００３５】
図３に示されたゴルフシューズでも、図１及び図２に示されたゴルフシューズと同様、軸足靴体２１及び蹴足靴体２３における筋山２５、２７の間隔Ｐは２ｍｍ以上３０ｍｍ以下が好ましい。また、軸足靴体２１及び蹴足靴体２３における筋山２５、２７の高さＨは２ｍｍ以上１５ｍｍ以下が好ましい。
【００３６】
図４（ａ）は本発明のさらに他の実施形態にかかるゴルフシューズの軸足靴体４１のソール部分が示された拡大断面図であり、図４（ｂ）はこのゴルフシューズの蹴足靴体４３のソール部分が示された拡大断面図である。図４（ａ）及び図４（ｂ）において左方向が爪先方向であり、右方向が踵方向である。このゴルフシューズの底面にも、図１及び図２に示されたゴルフシューズと同様に、突出部としての筋山４５、４７が形成されている。図示されていないが、軸足靴体４１の筋山４５は爪先方向に凸である線に沿って形成されている。また、蹴足靴体４３の筋山４７は、踵方向に凸である線に沿って形成されている。これらの筋山４５、４７は、爪先側壁面４９、５１と、踵側壁面５３、５５と、平坦面５７、５９とを備えている。また、筋山４５、４７と筋山４５、４７との間には、凹陥部６１、６３が形成されている。凹陥部６１、６３によって軸足靴体４１及び蹴足靴体４３の接地面積がより少なくなり、スリップが防止される。
【００３７】
図４（ａ）に示されるように、このゴルフシューズでも、軸足靴体４１では角度αが角度βよりも大きくされている。これにより軸足靴体４１の高い接地圧が発現されつつ、爪先側壁面４９によって軸足靴体４１の略爪先方向へのスリップが防止される。また、図４（ｂ）に示されるように、蹴足靴体４３では角度αが角度βよりも小さくされている。これにより蹴足靴体４３の高い接地圧が発現されつつ、踵側壁面５５によって蹴足靴体４３の略踵方向へのスリップが防止される。
【００３８】
図４に示されたゴルフシューズでも、図１及び図２に示されたゴルフシューズと同様、軸足靴体４１における角度αは、６０度以上１２０度以下が好ましく、８０度以上１２０度以下が特に好ましい。同様に、蹴足靴体４３における角度βは６０度以上１２０度以下が好ましく、８０度以上１２０度以下が特に好ましい。さらに、軸足靴体４１及び蹴足靴体４３のそれぞれにおけいて、角度αと角度βとの差は１５度以上が好ましく、特に３０度以上が好ましい。
【００３９】
図４に示されたゴルフシューズでも、図１及び図２に示されたゴルフシューズと同様、軸足靴体４１及び蹴足靴体４３における筋山４５、４７の間隔Ｐは２ｍｍ以上３０ｍｍ以下が好ましい。また、軸足靴体４１及び蹴足靴体４３における筋山４５、４７の高さＨは２ｍｍ以上１５ｍｍ以下が好ましい。
【００４０】
図５（ａ）は本発明のさらに他の実施形態にかかるゴルフシューズの軸足靴体６５のソール部分が示された拡大断面図であり、図５（ｂ）はこのゴルフシューズの蹴足靴体６７のソール部分が示された拡大断面図である。図５（ａ）及び図５（ｂ）において左方向が爪先方向であり、右方向が踵方向である。このゴルフシューズの底面にも、図１及び図２に示されたゴルフシューズと同様に、突出部としての筋山６９、７１が形成されている。図示されていないが、軸足靴体６５の筋山６９は爪先方向に凸である線に沿って形成されている。また、蹴足靴体６７の筋山７１は、踵方向に凸である線に沿って形成されている。これらの筋山６９、７１は、爪先側壁面７３、７５と踵側壁面７７、７９とを備えている。また、筋山６９、７１と筋山６９、７１との間には、凹陥部８０、８１が形成されている。これらの筋山６９、７１は、図１及び図２に示されたゴルフシューズのような平坦部１３は備えていない。すなわち、このゴルフシューズでは、爪先側壁面７３、７５と踵側壁面７７、７９との交点のみの、極めて少ない面積で接地する。従って、接地圧が極めて大きくなり、軸足靴体６５及び蹴足靴体６７のスリップが防止される。
【００４１】
図５（ａ）に示されるように、このゴルフシューズでも、軸足靴体６５では角度αが角度βよりも大きくされている。これにより軸足靴体６５の高い接地圧が発現されつつ、爪先側壁面７３によって軸足靴体６５の略爪先方向へのスリップが防止される。また、図５（ｂ）に示されるように、蹴足靴体６７では角度αが角度βよりも小さくされている。これにより蹴足靴体６７の高い接地圧が発現されつつ、踵側壁面７９によって蹴足靴体６７の略踵方向へのスリップが防止される。
【００４２】
図５に示されたゴルフシューズでも、図１及び図２に示されたゴルフシューズと同様、軸足靴体６５における角度αは、６０度以上１２０度以下が好ましく、８０度以上１２０度以下が特に好ましい。同様に、蹴足靴体６７における角度βは６０度以上１２０度以下が好ましく、８０度以上１２０度以下が特に好ましい。さらに、軸足靴体６５及び蹴足靴体６７のそれぞれにおいて、角度αと角度βとの差は１５度以上が好ましく、特に３０度以上が好ましい。
【００４３】
図５に示されたゴルフシューズでも、図１及び図２に示されたゴルフシューズと同様、軸足靴体６５及び蹴足靴体６７における筋山６９、７１の間隔Ｐは２ｍｍ以上３０ｍｍ以下が好ましい。また、軸足靴体６５及び蹴足靴体６７における筋山６９、７１の高さＨは２ｍｍ以上１５ｍｍ以下が好ましい。
【００４４】
図６（ａ）は本発明のさらに他の実施形態にかかるゴルフシューズの軸足靴体８３のソール部分が示された拡大断面図であり、図６（ｂ）はこのゴルフシューズの蹴足靴体８５のソール部分が示された拡大断面図である。図６（ａ）及び図６（ｂ）において左方向が爪先方向であり、右方向が踵方向である。このゴルフシューズの底面にも、図１及び図２に示されたゴルフシューズと同様に、突出部としての筋山８７、８９が形成されている。図示されていないが、軸足靴体８３の筋山８７は爪先方向に凸である線に沿って形成されている。また、蹴足靴体８５の筋山８９は、踵方向に凸である線に沿って形成されている。これらの筋山８７、８９は、爪先側壁面９１、９３と、踵側壁面９５、９７と、平坦面９９、１０１とを備えている。また、筋山８７、８９と筋山８７、８９との間には、凹陥部１０３、１０５が形成されている。
【００４５】
図６（ａ）及び図６（ｂ）に示されるように、このゴルフシューズの軸足靴体８３及び蹴足靴体８５では、いずれも角度α及び角度βが直角である。すなわち、爪先側壁面９１、９３及び踵側壁面９５、９７は、鉛直方向に起立している。軸足靴体８３では、起立した爪先側壁面９１によって略爪先方向へのスリップが抑制される。また、蹴足靴体８５では、起立した踵側壁面９７によって略踵方向へのスリップが抑制される。
【００４６】
図６に示されたゴルフシューズでも、図１及び図２に示されたゴルフシューズと同様、軸足靴体８３及び蹴足靴体８５における筋山８７、８９の間隔Ｐは２ｍｍ以上３０ｍｍ以下が好ましい。また、軸足靴体８３及び蹴足靴体８５における筋山８７、８９の高さＨは２ｍｍ以上１５ｍｍ以下が好ましい。
【００４７】
図７（ａ）は本発明のさらに他の実施形態にかかるゴルフシューズの軸足靴体１０７のソール部分が示された拡大断面図であり、図７（ｂ）はこのゴルフシューズの蹴足靴体１０９のソール部分が示された拡大断面図である。図７（ａ）及び図７（ｂ）において左方向が爪先方向であり、右方向が踵方向である。このゴルフシューズの底面にも、図１及び図２に示されたゴルフシューズと同様に、突出部としての筋山１１１、１１３が形成されている。図示されていないが、軸足靴体１０７の筋山１１１は爪先方向に凸である線に沿って形成されている。また、蹴足靴体１０９の筋山１１３は、踵方向に凸である線に沿って形成されている。これらの筋山１１１、１１３は、爪先側壁面１１５、１１７と、踵側壁面１１９、１２１と、平坦面１２３、１２５とを備えている。また、筋山１１１、１１３と筋山１１１、１１３との間には、凹陥部１２７、１２９が形成されている。
【００４８】
図７（ａ）及び図７（ｂ）に示されるように、このゴルフシューズの軸足靴体１０７及び蹴足靴体１０９では角度αと角度βとが同等であり、ともに約４５度とされている。すなわち、爪先側壁面１１５、１１７及び踵側壁面１１９、１２１の起立の程度は少ない。このため、軸足靴体１０７及び蹴足靴体１０９において、筋山１１１、１１３の横断面形状に起因するスリップ防止効果はさほど高くない。しかしながら、軸足靴体１０７では前述のように筋山１１１が爪先方向に凸である線に沿って形成されているので、スイングにおいて常に力のベクトルと略直交する筋山１１１が存在することによるスリップ防止効果は維持される。同様に、蹴足靴体１０９では前述のように筋山１１３が踵方向に凸である線に沿って形成されているので、スイングにおいて常に力のベクトルと略直交する筋山１１３が存在することによるスリップ防止効果は維持される。
【００４９】
図７に示されたゴルフシューズでも、図１及び図２に示されたゴルフシューズと同様、軸足靴体１０７及び蹴足靴体１０９における筋山１１１、１１３の間隔Ｐは２ｍｍ以上３０ｍｍ以下が好ましい。また、軸足靴体１０７及び蹴足靴体１０９における筋山１１１、１１３の高さＨは２ｍｍ以上１５ｍｍ以下が好ましい。
【００５０】
図８（ａ）は本発明のさらに他の実施形態にかかるゴルフシューズの軸足靴体１３１のソール部分が示された底面図であり、図８（ｂ）はそのＢ−Ｂ線に沿った断面図である。また、図８（ｃ）はこのゴルフシューズの蹴足靴体１３３のソール部分が示された底面図であり、図８（ｄ）はそのＤ−Ｄ線に沿った断面図である。なお、図示されていないが、このゴルフシューズは、通常のゴルフシューズと同様のアッパー部等を備えている。図８（ａ）及び図８（ｃ）において右方向が打撃方向前側であり、左方向が打撃方向後側である。また、図８（ａ）から図８（ｄ）において上方向が爪先方向であり、下方向が踵方向である。図８（ａ）及び図８（ｂ）には、図１と同様の力のベクトルＴｊ、Ｆｊ、Ｔｋ及びＦｋが示されている。
【００５１】
図８（ａ）及び図８（ｂ）から明らかなように、軸足靴体１３１はその底面に突出部としての凸状ブロック１３５を多数備えている。この凸状ブロック１３５は、爪先方向に凸である線（ここでは略放物線）に沿って配置されている。ソール部分のうち凸状ブロック１３５以外の部分は、凹陥部１３７である。図８（ｂ）から明らかなように、凸状ブロック１３５は爪先側壁面１３９と踵側壁面１４１とを備えている。爪先側壁面１３９は、略鉛直方向に起立している。凸状ブロック１３５が爪先方向に凸である線に沿って配置されることにより、矢印Ｔｊの状態から矢印Ｆｊの状態へと力のベクトルが移行するそれぞれの時点での作用点において、ベクトルの方向にほぼ直交するように爪先側壁面１３９が位置することとなる。これにより、軸足靴体１３１のスリップが有効に抑制される。
【００５２】
図８（ｃ）及び図８（ｄ）から明らかなように、蹴足靴体１３３はその底面に突出部としての凸状ブロック１４３を多数備えている。この凸状ブロック１４３は、踵方向に凸である線（ここでは略円弧）に沿って配置されている。ソール部分のうち凸状ブロック１４３以外の部分は、凹陥部１４５である。図８（ｄ）から明らかなように、凸状ブロック１４３は爪先側壁面１４７と踵側壁面１４９とを備えている。踵側壁面１４９は、略鉛直方向に起立している。凸状ブロック１４３が踵方向に凸である線に沿って配置されることにより、矢印Ｔｋの状態から矢印Ｆｋの状態へと力のベクトルが移行するそれぞれの時点での作用点において、ベクトルの方向にほぼ直交するように踵側壁面１４９が位置することとなる。これにより、蹴足靴体１３３のスリップが有効に抑制される。スイングの進行に伴い蹴足は爪先近傍を軸として回転するが、図８（ｃ）に示されるように踵方向に凸である線に沿って凸状ブロック１４３が形成されておれば、この回転が円滑になる。
【００５３】
軸足靴体１３１及び蹴足靴体１３３のそれぞれにおいて凸状ブロック１３５、１４３が沿う線は、例えば円弧状、放物線状、サインカーブ状、複数の線分の組み合わせ、線分と曲線の組み合わせ等、種々の形状が採用されうる。
【００５４】
図８（ａ）に示されるように、軸足靴体１３１では全ての凸状ブロック１３５が爪先方向に凸な線に沿って形成されているが、爪先方向に凸な線に沿って形成された凸状ブロック１３５と他の凸状ブロック１３５とがともに形成されてもよい。この場合は、凸状ブロック１３５の全面積に占める爪先方向に凸な線に沿って形成された凸状ブロック１３５の比率が５０％以上、特には７０％以上とされるのが好ましい。ここで「爪先方向に凸な線に沿って形成された凸状ブロック」とは、その全長のうち４０％以上が連続的に形成された凸状ブロック１３５と重なり、しかも爪先方向に凸である線が想定されうる場合に、その線と重なりをもつ凸状ブロック１３５を意味する。
【００５５】
図８（ｃ）に示されるように、蹴足靴体１３３では全ての凸状ブロック１４３が踵方向に凸な線に沿って形成されているが、踵方向に凸な線に沿って形成された凸状ブロック１４３と他の凸状ブロック１４３とがともに形成されてもよい。この場合は、凸状ブロック１４３の全面積に占める踵方向に凸な線に沿って形成された凸状ブロック１４３の比率が５０％以上、特には７０％以上とされるのが好ましい。ここで「踵方向に凸な線に沿って形成された凸状ブロック」とは、その全長のうち４０％以上が連続的に形成された凸状ブロック１４３と重なり、しかも踵方向に凸である線が想定されうる場合に、その線と重なりをもつ凸状ブロック１４３を意味する。
【００５６】
軸足靴体１３１の凸状ブロック１３５の横断面形状は、図８（ｂ）に示されたものには限られない。例えば、図２（ａ）に示された筋山５の横断面形状、図３（ａ）に示された筋山２５の横断面形状、図４（ａ）に示された筋山４５の横断面形状、図６（ａ）に示された筋山８７の横断面形状、図７（ａ）に示された筋山１１１の横断面形状等に類似の形状とされてもよい。
【００５７】
蹴足靴体１３３の凸状ブロック１４３の横断面形状は、図８（ｄ）に示されたものには限られない。例えば、図２（ｂ）に示された筋山７の横断面形状、図３（ｂ）に示された筋山２７の横断面形状、図４（ｂ）に示された筋山４７の横断面形状、図６（ｂ）に示された筋山８９の横断面形状、図７（ｂ）に示された筋山１１３の横断面形状等に類似の形状とされてもよい。
【００５８】
軸足靴体１３１の凸状ブロック１３５の横断面形状における爪先側壁面１３９と水平方向底面とのなす内角は、６０度以上１２０度以下が好ましく、８０度以上１２０度以下が特に好ましい。この内角が上記範囲未満であると、軸足靴体１３１のスリップ防止効果が不十分となってしまうことがある。逆に、この内角が上記範囲を超えると、歩行中に凸状ブロック１３５、１３５同士の間に土が詰まりやすくなり、また金型による靴底成形時の脱型が困難となってしまうことがある。また、軸足靴体１３１の凸状ブロック１３５の横断面形状における爪先側壁面１３９と水平方向底面とのなす内角が、凸状ブロック１３５の横断面形状における踵側壁面１４１と水平方向底面とのなす内角よりも大きいのが好ましい。具体的には、両者の差は１５度以上が好ましく、特に３０度以上が好ましい。これにより、軸足靴体１３１の接地圧が向上する。
【００５９】
蹴足靴体１３３の凸状ブロック１４３の横断面形状における踵側壁面１４９と水平方向底面とのなす内角は、６０度以上１２０度以下が好ましく、８０度以上１２０度以下が特に好ましい。この内角が上記範囲未満であると、蹴足靴体１３３のスリップ防止効果が不十分となってしまうことがある。逆に、この内角が上記範囲を超えると、歩行中に凸状ブロック１４３、１４３同士の間に土が詰まりやすくなり、また金型による靴底成形時の脱型が困難となってしまうことがある。また、蹴足靴体１３３の凸状ブロック１４３の横断面形状における爪先側壁面１４７と水平方向底面とのなす内角が、凸状ブロック１４３の横断面形状における踵側壁面１４９と水平方向底面とのなす内角よりも小さいのが好ましい。具体的には、両者の差は１５度以上が好ましく、特に３０度以上が好ましい。これにより、蹴足靴体１３３の接地圧が向上する。
【００６０】
スリップ防止性能向上の観点から、軸足靴体１３１及び蹴足靴体１３３における凸状ブロック１３５、１４３の間隔Ｐは２ｍｍ以上３０ｍｍ以下が好ましい。また、スリップ防止性能向上の観点から、軸足靴体１３１及び蹴足靴体１３３における凸状ブロック１３５、１４３の高さＨは２ｍｍ以上１５ｍｍ以下が好ましい。
【００６１】
【実施例】
以下、実施例によって本発明の効果が明らかにされるが、この実施例の記載に基づいて本発明が限定的に解釈されるべきでないことはもちろんである。
【００６２】
［実施例１］
ソール部分が発泡ゴムからなる市販の紳士用革靴を用意し、電熱ナイフで底面に筋溝を彫り込んで筋山を形成し、実施例１のゴルフシューズを得た。軸足靴体（左足用）の筋山を、図１（ａ）に示されるような爪先方向に凸である形状とした。また蹴足靴体（右足用）の筋山を、図１（ｃ）に示されるような踵方向に凸である形状とした。また、軸足靴体及び蹴足靴体の筋山の横断面形状を、図６に示されるように爪先側壁面、踵側壁面及び平坦面を備えており、角度α及び角度βが約９０度であり、筋山の間隔Ｐが約８ｍｍであり、筋山の高さＨが約６ｍｍである形状とした。
【００６３】
［実施例２］
軸足靴体及び蹴足靴体の筋山の横断面形状を、図７に示されるように爪先側壁面、踵側壁面及び平坦面を備えており、角度α及び角度βが約４５度であり、筋山の間隔Ｐが約８ｍｍであり、筋山の高さＨが約６ｍｍである形状とした他は実施例１と同様にして、実施例２のゴルフシューズを得た。
【００６４】
［比較例］
軸足靴体及び蹴足靴体の筋山を、打撃方向に伸びる直線状とした他は実施例２と同様にして、比較例のゴルフシューズを得た。
【００６５】
［ゴルフシューズの評価］
右利きのゴルファー１０名それぞれに、実施例１、実施例２及び比較例のゴルフシューズを着用させ、ゴルフ場のティグラウンドでドライバーにてゴルフボールを打撃させた。そして、スリップ防止性とスイングしやすさとを、「１」から「５」の５段階で評価させた。スリップ防止性については、最もスリップしにくいものを「５」とし、最もスリップしやすいものを「１」とした。また、スイングしやすさについては、最もスイングしやすいものを「５」とし、最もスイングしにくいものを「１」とした。１０名のゴルファーの評価点の平均値が、下記の表１に示されている。
【００６６】
【表１】
0004346789.tif 000002
【００６７】
表１において、各実施例のゴルフシューズは比較例のゴルフシューズに比べて評価点が優れている。このことから、本発明の優位性が確認される。
【００６８】
【発明の効果】
以上説明されたように、本発明のゴルフシューズをゴルファーが着用することにより、スイング中のスリップが防止される。これにより、スイングフォームの乱れによるミスショットが抑制される。
【図面の簡単な説明】
【図１】  図１（ａ）は本発明の一実施形態にかかるゴルフシューズの軸足靴体のソール部分が示された底面図であり、図１（ｂ）はそのＢ−Ｂ線に沿った断面図である。また、図１（ｃ）はこのゴルフシューズの蹴足靴体のソール部分が示された底面図であり、図１（ｄ）はそのＤ−Ｄ線に沿った断面図である。
【図２】図２（ａ）は図１（ｂ）の軸足靴体の一部が示された拡大図であり、図２（ｂ）は図１（ｄ）の蹴足靴体の一部が示された拡大図である。
【図３】図３（ａ）は本発明の他の実施形態にかかるゴルフシューズの軸足靴体のソール部分が示された拡大断面図であり、図３（ｂ）はこのゴルフシューズの蹴足靴体のソール部分が示された拡大断面図である。
【図４】図４（ａ）は本発明のさらに他の実施形態にかかるゴルフシューズの軸足靴体のソール部分が示された拡大断面図であり、図４（ｂ）はこのゴルフシューズの蹴足靴体のソール部分が示された拡大断面図である。
【図５】図５（ａ）は本発明のさらに他の実施形態にかかるゴルフシューズの軸足靴体のソール部分が示された拡大断面図であり、図５（ｂ）はこのゴルフシューズの蹴足靴体のソール部分が示された拡大断面図である。
【図６】図６（ａ）は本発明のさらに他の実施形態にかかるゴルフシューズの軸足靴体のソール部分が示された拡大断面図であり、図６（ｂ）はこのゴルフシューズの蹴足靴体のソール部分が示された拡大断面図である。
【図７】図７（ａ）は本発明のさらに他の実施形態にかかるゴルフシューズの軸足靴体のソール部分が示された拡大断面図であり、図７（ｂ）はこのゴルフシューズの蹴足靴体のソール部分が示された拡大断面図である。
【図８】図８（ａ）は本発明のさらに他の実施形態にかかるゴルフシューズの軸足靴体のソール部分が示された底面図であり、図８（ｂ）はそのＢ−Ｂ線に沿った断面図である。また、図８（ｃ）はこのゴルフシューズの蹴足靴体のソール部分が示された底面図であり、図８（ｄ）はそのＤ−Ｄ線に沿った断面図である。
【符号の説明】
１・・・軸足靴体
３・・・蹴足靴体
５、７・・・筋山
９、１５・・・爪先側壁面
１１、１７・・・踵側壁面
１３、１９・・・平坦面
【図１】
0004346789.tif 000003
【図２】
0004346789.tif 000004
【図３】
0004346789.tif 000005
【図４】
0004346789.tif 000006
【図５】
0004346789.tif 000007
【図６】
0004346789.tif 000008
【図７】
0004346789.tif 000009
【図８】
0004346789.tif 000010